(57)【要約】【課題】ＤＶＤ等の外部デバイスを挿入して映像を再生する際の操作性を向上させることができる車載装置を提供すること。【解決手段】車載装置１のディスク切替制御部１５０は、ディスクに記録された情報がビデオ再生を伴うビデオ情報か、伴わないオーディオ情報かを判定する再生内容判定部１５２と、ディスクが挿入されたときであって、再生内容判定部１５２によってビデオ情報である旨の判定が行われている場合に、後席側に出力する内容を、ディスクのビデオ情報に基づくビデオ映像に切り替え、再生内容判定部１５２によってオーディオ情報である旨の判定が行われている場合に、前席側に出力する内容を、ディスクのオーディオ情報に基づくオーディオ音に切り替える出力内容切替部１５３とを備えている。【選択図】図２
2020116986.tif 000002
【特許請求の範囲】
【請求項１】
ビデオおよび／またはオーディオを再生するビデオ・オーディオ再生手段と、
前記ビデオ・オーディオ再生手段によって再生されたビデオおよび／またはオーディオを前席の搭乗者に向けて出力する前席側出力手段と、
前記ビデオ・オーディオ再生手段によって再生されたビデオおよび／またはオーディオを後席の搭乗者に向けて出力する後席側出力手段と、
挿抜可能な外部デバイスに記録された情報が前記ビデオ・オーディオ再生手段によるビデオ再生を伴うビデオ情報か、伴わないオーディオ情報かを判定する再生内容判定手段と、
前記外部デバイスが挿入されたときであって、前記再生内容判定手段によってビデオ情報である旨の判定が行われた場合に、前記後席側出力手段から出力する内容を、前記ビデオ情報に基づく前記ビデオ・オーディオ再生手段による再生結果に切り替え、前記再生内容判定手段によってオーディオ情報である旨の判定が行われた場合に、前記前席側出力手段から出力する内容を、前記オーディオ情報に基づく前記ビデオ・オーディオ再生手段による再生結果に切り替える出力内容切替手段と、
を備えることを特徴とする車載装置。
【請求項２】
前記外部デバイスが挿入された後に、前記再生内容判定手段によってビデオ情報である旨の判定が行われた場合に、前記前席側出力手段から出力する内容は挿入前の内容を維持し、前記再生内容判定手段によってオーディオ情報である旨の判定が行われた場合に、前記後席側出力手段から出力する内容は挿入前の内容を維持することを特徴とする請求項１に記載の車載装置。
【請求項３】
前記外部デバイスが挿入される前に、前記前席出力手段から出力する内容が前記ビデオ・オーディオ再生手段によるビデオ再生を伴う内容であった場合に、
前記出力内容切替手段は、前記外部デバイスが挿入されたときであって、前記再生内容判定手段によってビデオ情報である旨の判定が行われた場合に、前記前席側出力手段から出力する内容を、前記ビデオ情報に基づく前記ビデオ・オーディオ再生手段による再生結果に切り替えることを特徴とする請求項１に記載の車載装置。
【請求項４】
前記外部デバイスが挿入されたときに、この外部デバイスに記録された情報に基づく前記ビデオ・オーディオ再生手段による再生結果を出力する前記前席側出力手段および／または前記後席側出力手段を選択する選択画面を作成して表示する選択画面表示手段と、
利用者によって操作され、前記選択画面を用いて選択する前記前席側出力手段および／または前記後席側出力手段を指定する操作手段と、
をさらに備え、前記出力内容切替手段は、前記外部デバイスが挿入されたときに、前記操作手段を用いた指定の内容に基づいて、前記外部デバイスに記録された情報に基づく前記ビデオ・オーディオ再生手段による再生結果を出力する前記前席側出力手段および／または前記後席側出力手段の切り替えを行い、前記操作手段を用いた指定が所定時間行われない場合に、前記再生内容判定手段の判定結果に基づく切り替え行うことを特徴とする請求項１〜３のいずれか一項に記載の車載装置。
【請求項５】
前記後席側出力手段の電源切断の有無を検出する電源状態検出手段をさらに備え、
前記出力切替手段は、前記外部デバイスが挿入されたときであって、前記電源状態検出手段によって前記後席側出力手段の電源切断が検出されたときに、前記再生内容判定手段の判定結果にかかわらず、前記外部デバイスに記録された情報に基づく前記ビデオ・オーディオ再生手段による再生結果を前記前席側出力手段から出力する切り替えを行うことを特徴とする請求項１〜３のいずれか一項に記載の車載装置。
【請求項６】
後席の搭乗者の不在を検出する搭乗者検出手段をさらに備え、
前記出力切替手段は、前記外部デバイスが挿入されたときであって、前記搭乗者検出手段によって後席の搭乗者の不在が検出されたときに、前記再生内容判定手段の判定結果にかかわらず、前記外部デバイスに記録された情報に基づく前記ビデオ・オーディオ再生手段による再生結果を前記前席側出力手段から出力する切り替えを行うことを特徴とする請求項１〜３のいずれか一項に記載の車載装置。
【請求項７】
自車両が停車中あるいは駐車中の非走行状態にあることを検出する走行状態検出手段をさらに備え、
前記出力切替手段は、前記外部デバイスが挿入されたときであって、前記走行状態検出手段によって自車両の非走行状態が検出されたときに、前記再生内容判定手段の判定結果にかかわらず、前記外部デバイスに記録された情報に基づく前記ビデオ・オーディオ再生手段による再生結果を前記前席側出力手段から出力する切り替えを行うことを特徴とする請求項１〜３のいずれか一項に記載の車載装置。
【発明の詳細な説明】
【技術分野】
【０００１】
本発明は、外部デバイスに記録された映像情報を読み出して再生を行う車載装置に関する。
【背景技術】
【０００２】
従来から、車両のダッシュボードに設置されたフロント席用表示ユニットと、座席のヘッドレストの後部に設置されたリヤ席用表示ユニットとを備え、各表示ユニットにおいて別々のＡ／Ｖソース（ラジオ受信機、ＴＶ受信機、ＳＶ／ＤＶＤプレーヤ等）を選択して個別に再生を行うことができる車載用オーディオ／ビデオシステムが知られている（例えば、特許文献１参照。）。このシステムでは、ＣＤ／ＤＶＤプレーヤにＤＶＤが装填されたときに、このＤＶＤに記録された映像を再生してこれらの各表示ユニットに表示するようになっている。
【先行技術文献】
【特許文献】
【０００３】
【特許文献１】特開２００８−２８２４３３号公報
【発明の概要】
【発明が解決しようとする課題】
【０００４】
ところで、上述した特許文献１に開示された車載用オーディオ／ビデオシステムでは、ＣＤ／ＤＶＤプレーヤにＤＶＤを挿入すると、このＤＶＤの再生が開始され、フロント席用表示ユニットとリヤ席用表示ユニットの両方において再生映像の表示が開始される。しかし、車両走行中は、フロント席用表示ユニットを用いたＤＶＤの再生映像の表示は制限されるため、リヤ席用表示ユニットを用いたＤＶＤの再生映像の表示のみを行い、フロント席用表示ユニットについてはＤＶＤの挿入前の再生状態を維持することが望ましく、このようなＤＶＤの挿入前の再生状態に戻すために操作が煩雑になるという問題があった。例えば、フロント席用表示ユニットとリヤ席用表示ユニットの両方において再生映像の表示が行われた状態において、フロント席用表示ユニットのみを指定し、かつ、再生対象となるソースを選択するなどの操作が必要になり、操作性がいいとはいえない。
【０００５】
本発明は、このような点に鑑みて創作されたものであり、その目的は、ＤＶＤ等の外部デバイスを挿入して映像を再生する際の操作性を向上させることができる車載装置を提供することにある。
【課題を解決するための手段】
【０００６】
上述した課題を解決するために、本発明の車載装置は、ビデオおよび／またはオーディオを再生するビデオ・オーディオ再生手段と、ビデオ・オーディオ再生手段によって再生されたビデオおよび／またはオーディオを前席の搭乗者に向けて出力する前席側出力手段と、ビデオ・オーディオ再生手段によって再生されたビデオおよび／またはオーディオを後席の搭乗者に向けて出力する後席側出力手段と、挿抜可能な外部デバイスに記録された情報がビデオ・オーディオ再生手段によるビデオ再生を伴うビデオ情報か、伴わないオーディオ情報かを判定する再生内容判定手段と、外部デバイスが挿入されたときであって、再生内容判定手段によってビデオ情報である旨の判定が行われている場合に、後席側出力手段から出力する内容を、ビデオ情報に基づくビデオ・オーディオ再生手段による再生結果に切り替え、再生内容判定手段によってオーディオ情報である旨の判定が行われている場合に、前席側出力手段から出力する内容を、オーディオ情報に基づくビデオ・オーディオ再生手段による再生結果に切り替える出力内容切替手段とを備えている。
【０００７】
外部デバイスが挿入されてビデオ再生を行う場合に、前席側ではなく後席側にその再生映像を表示することができるため、前席側における再生映像の表示を中止したり、後席側における再生映像の表示を指示するなどの煩雑な操作が不要になり、操作性を向上させることができる。
【０００８】
また、上述した外部デバイスが挿入された後に、再生内容判定手段によってビデオ情報である旨の判定が行われている場合に、前席側出力手段から出力する内容は挿入前の内容を維持し、再生内容判定手段によってオーディオ情報である旨の判定が行われている場合に、後席側出力手段から出力する内容は挿入前の内容を維持することが望ましい。これにより、前席側の再生内容を変えずに、後席側の再生内容のみを、新たに挿入された外部デバイスに記録された情報に基づく映像表示に切り替えることができ、前席側の再生内容を元に戻す手間を省くことができる。
【０００９】
また、上述した外部デバイスが挿入される前に、前席側出力手段から出力する内容がビデオ・オーディオ再生手段によるビデオ再生を伴う内容であった場合に、出力内容切替手段は、外部デバイスが挿入されたときであって、再生内容判定手段によってビデオ情報である旨の判定が行われている場合に、前席側出力手段から出力する内容を、ビデオ情報に基づくビデオ・オーディオ再生手段による再生結果に切り替えることが望ましい。これにより、外部デバイス挿入前に前席側において映像表示が行われていた場合には外部デバイスに記録された情報に基づく映像表示に切り替えても支障がないと考えられるため、このような切り替えを自動で行うことにより、追加の操作を行うことによって前席側の映像表示に切り替える場合に比べて操作の簡略化が可能になる。
【００１０】
また、上述した外部デバイスが挿入されたときに、この外部デバイスに記録された情報に基づくビデオ・オーディオ再生手段による再生結果を出力する前席側出力手段および／または後席側出力手段を選択する選択画面を作成して表示する選択画面表示手段と、利用者によって操作され、選択画面を用いて選択する前席側出力手段および／または後席側出力手段を指定する操作手段とをさらに備え、出力内容切替手段は、外部デバイスが挿入されたときに、操作手段を用いた指定の内容に基づいて、外部デバイスに記録された情報に基づくビデオ・オーディオ再生手段による再生結果を出力する前席側出力手段および／または後席側出力手段の切り替えを行い、操作手段を用いた指定が所定時間行われない場合に、再生内容判定手段の判定結果に基づく切り替え行うことが望ましい。これにより、前席側と後席側において、利用者の意思を確実に反映した映像表示の切り替えが可能となる。
【００１１】
また、上述した後席側出力手段の電源切断の有無を検出する電源状態検出手段をさらに備え、出力切替手段は、外部デバイスが挿入されたときであって、電源状態検出手段によって後席側出力手段の電源切断が検出されたときに、再生内容判定手段の判定結果にかかわらず、外部デバイスに記録された情報に基づくビデオ・オーディオ再生手段による再生結果を前席側出力手段から出力する切り替えを行うことが望ましい。また、後席の搭乗者の不在を検出する搭乗者検出手段をさらに備え、出力切替手段は、外部デバイスが挿入されたときであって、搭乗者検出手段によって後席の搭乗者の不在が検出されたときに、再生内容判定手段の判定結果にかかわらず、外部デバイスに記録された情報に基づくビデオ・オーディオ再生手段による再生結果を前席側出力手段から出力する切り替えを行うことが望ましい。再生結果の出力を前席側のみで行うことが明らかな場合に、挿入された外部デバイスに記録された情報に基づく映像表示に前席側を切り替えることにより、利用者の意思を確実に反映した映像表示の切り替えが可能となる。
【００１２】
また、自車両が停車中あるいは駐車中の非走行状態にあることを検出する走行状態検出手段をさらに備え、出力切替手段は、外部デバイスが挿入されたときであって、走行状態検出手段によって自車両の非走行状態が検出されたときに、再生内容判定手段の判定結果にかかわらず、外部デバイスに記録された情報に基づくビデオ・オーディオ再生手段による再生結果を前席側出力手段から出力する切り替えを行うことが望ましい。これにより、前席側において映像表示が可能な非走行状態のときに、挿入された外部デバイスに記録された情報に基づく映像表示に前席側を切り替えることにより、利用者の意思を確実に反映した映像表示の切り替えが可能となる。
【図面の簡単な説明】
【００１３】
【図１】一実施形態の車載装置の構成を示す図である。
【図２】ＣＰＵによって実現されるディスク切替制御部の機能ブロックを示す図である。
【図３】ディスク装置にディスクが挿入されたときに行われるディスク切替動作の動作手順を示す流れ図である。
【図４】ディスク切替動作の変形例の動作手順を示す流れ図である。
【図５】ディスク切替動作の他の変形例の動作手順を示す流れ図である。
【図６】ディスク切替動作の他の変形例の動作手順を示す流れ図である。
【図７】ディスク切替動作の他の変形例の動作手順を示す流れ図である。
【図８】ディスク切替動作の他の変形例の動作手順を示す流れ図である。
【発明を実施するための形態】
【００１４】
以下、本発明を適用した一実施形態の車載装置について、図面を参照しながら説明する。
【００１５】
図１は、一実施形態の車載装置の構成を示す図である。図１に示すように、本実施形態の車載装置１は、ナビゲーション処理部１０、ＴＶチューナ処理部１４、ラジオチューナ処理部１６、ＡＶ処理部１８、操作部２０Ｆ、２０Ｒ、タッチパネル２２Ｆ、２２Ｒ、入力制御部２４Ｆ、２４Ｒ、表示処理部３０Ｆ、３０Ｒ、表示部３２Ｆ、３２Ｒ、デジタル−アナログ変換器（Ｄ／Ａ）４０Ｆ、４０Ｒ、スピーカ４２、ヘッドホン４４、ＣＰＵ５０、メモリ６０、ディスク装置７０、ＵＳＢインタフェース部（ＵＳＢ  Ｉ／Ｆ）８０、ＳＤ（Secure Digital）インタフェース部（ＳＤ  Ｉ／Ｆ）８２、ブルートゥース・インタフェース部（ＢＴ  Ｉ／Ｆ）８４を備えている。
【００１６】
ナビゲーション処理部１０は、メモリ６０に格納されている地図データを用いて、車載装置１が搭載された車両の走行を案内するナビゲーション動作を行う。自車位置を検出するＧＰＳ（Global Positioning System）装置１２とともに用いられ、車両の走行を案内するナビゲーション動作には、地図表示、経路探索・誘導、周辺施設検索などが含まれる。なお、自車位置検出は、ＧＰＳ１２の他にジャイロセンサや車速センサ等の自律航法センサを組み合わせて用いるようにしてもよい。
【００１７】
ＴＶチューナ処理部１４は、地上デジタル放送等の放送信号を受信し、映像および音声を再生する処理を行う。ラジオチューナ処理部１６は、ラジオ放送の信号を受信し、音声を再生する処理を行う。なお、本明細書では、主に人が発する音声や、楽器等が発する音楽などの音全般を「オーディオ」と称する。また、これに合わせて、ナビゲーション処理部１０、ＴＶチューナ処理部１４、ＡＶ処理部１８で処理する映像を「ビデオ」と称する。
【００１８】
ＡＶ処理部１８は、圧縮されて外部デバイス（ディスク装置７０に挿入されるディスクや、ＵＳＢインタフェース部８０に挿入されるＵＳＢメモリ、ＳＤインタフェース部８２に挿入されるＳＤメモリカードなど）や、メモリ６０に記録されている情報（ビデオ情報、オーディオ情報）を読み出してビデオおよび／またはオーディオの再生を行う。
【００１９】
操作部２０Ｆは、車両前席の搭乗者（利用者）による各種操作を受け付けるためのものである。タッチパネル２２Ｆは、前席の表示部３２Ｆの画面に重ねて配置されており、利用者の指が接触した画面上の位置を検出する。入力制御部２４Ｆは、操作部２０Ｆおよびタッチパネル２２Ｆの操作状態を監視し、利用者による操作内容を検出する。
【００２０】
表示処理部３０Ｆは、各種の操作画面等を表示する映像信号を出力して表示部３２Ｆにこれらの画面を表示するとともに、ナビゲーション処理部１０、ＴＶチューナ処理部１４、ＡＶ処理部１８のそれぞれの処理内容に対応するビデオ信号を出力して表示部３２Ｆにこれらの処理内容を示す画面を表示する。表示部３２Ｆは、前席の搭乗者に見える位置（例えば、ダッシュボード中央）に設置されており、液晶表示装置（ＬＣＤ）等を用いて構成され、表示処理部３０Ｆから出力されるビデオ信号に対応する画面を表示する。
【００２１】
また、操作部２０Ｒは、車両後席の搭乗者（利用者）による各種操作を受け付けるためのものである。タッチパネル２２Ｒは、後席の表示部３２Ｒの画面に重ねて配置されており、利用者の指が接触した画面上の位置を検出する。入力制御部２４Ｒは、操作部２０Ｒおよびタッチパネル２２Ｒの操作状態を監視し、利用者による操作内容を検出する。
【００２２】
表示処理部３０Ｒは、各種の操作画面等を表示する映像信号を出力して表示部３２Ｒにこれらの画面を表示するとともに、ＴＶチューナ処理部１４、ＡＶ処理部１８のそれぞれの処理内容に対応するビデオ信号を出力して表示部３２Ｒにこれらの処理内容を示す画面を表示する。表示部３２Ｒは、後席の搭乗者に見える位置（例えば、運転席と助手席の各シートバックの中央）に設置されており、液晶表示装置（ＬＣＤ）等を用いて構成され、表示処理部３０Ｒから出力されるビデオ信号に対応する画面を表示する。
【００２３】
デジタル−アナログ変換器４０Ｆは、ナビゲーション処理部１０、ＴＶチューナ処理部１４、ラジオチューナ処理部１６、ＡＶ処理部１８のそれぞれの処理によって生成されるオーディオデータをアナログのオーディオ信号に変換してスピーカ４２から出力する。なお、実際には、デジタル−アナログ変換器４０Ｆとスピーカ４２の間には信号を増幅する増幅器が接続されているが、図１ではこの増幅器は省略されている。また、デジタル−アナログ変換器４０Ｆとスピーカ４２との組合せは再生チャンネル数分備わっているが、図１では一組のみが図示されている。
【００２４】
デジタル−アナログ変換器４０Ｒは、ナビゲーション処理部１０、ＴＶチューナ処理部１４、ラジオチューナ処理部１６、ＡＶ処理部１８のそれぞれの処理によって生成されるオーディオデータをアナログのオーディオ信号に変換してヘッドホン４４から出力する。なお、実際には、デジタル−アナログ変換器４０Ｒとヘッドホン４４の間には信号を増幅する増幅器が接続されているが、図１ではこの増幅器は省略されている。また、デジタル−アナログ変換器４０Ｒとヘッドホン４４は、後席の搭乗者がオーディオを聴取するためのものであり、これらは後席に搭乗可能な搭乗者の数に合わせて用意されている。
【００２５】
ＣＰＵ５０は、メモリ６０に格納された所定のプログラムを実行することにより、車載装置１の全体を制御する。また、ＣＰＵ５０は、ディスク装置７０にＤＶＤやＣＤ等の外部デバイスとしてのディスクが挿入された際にこのディスクの再生結果の出力先を切り替える動作（ディスク切替動作）を行うディスク切替制御部として機能する。
【００２６】
メモリ６０は、ＣＰＵ５０の動作プログラムを格納するとともに、ＣＰＵ５０の動作に必要な各種データを格納する作業領域として用いられる。ＣＰＵ５０によって実行される動作プログラムには、上述したディスク切替動作を行う動作プログラム（再生先切替プログラム）が含まれている。メモリ６０は、例えば、ＲＯＭやＲＡＭ等の半導体メモリによって構成されており、これら以外にハードディスク装置などを含むようにしてもよい。
【００２７】
ディスク装置７０は、挿入されたＤＶＤやＣＤ等のディスクに記録されたビデオ情報やオーディオ情報を光学的に読み取る。本実施形態の車載装置１は、操作部２０Ｒ、タッチパネル２２Ｒ、表示部３２Ｒ、ヘッドホン４４以外の構成が前席側に設けられた筐体内に収まっており、ディスク装置７０に対するディスクの挿抜は前席の搭乗者によって行われる。
【００２８】
ＵＳＢインタフェース部８０は、ＵＳＢメモリやスマートフォン等の携帯端末装置などとの間で信号の入出力を行うためのものである。このＵＳＢインタフェース部８０には、ＵＳＢポートやＵＳＢホストコントローラが含まれる。外部デバイスとしてのＵＳＢメモリは、このＵＳＢポートに、直接あるいはＵＳＢケーブルを介して接続することができる。
【００２９】
ＳＤインタフェース部８２は、外部デバイスとしてのＳＤメモリカードとの間で信号の入出力を行うためのものであり、ＳＤカードスロットとＳＤホストコントローラが含まれる。
【００３０】
ブルートゥース・インタフェース部８４は、ブルートゥース（登録商標）によって携帯端末装置等との間で信号の送受信を行う通信装置（ブルートゥース機器）である。
【００３１】
図２は、ＣＰＵ５０によって実現されるディスク切替制御部の機能ブロックを示す図である。図２に示すディスク切替制御部１５０は、メモリ６０に格納されている再生先切替プログラムをＣＰＵ５０によって実行することにより動作する各種の機能を有する。
【００３２】
具体的には、ディスク切替制御部１５０は、ディスク検出部１５１、再生内容判定部１５２、出力内容切替部１５３、選択画面作成部１５４、電源状態検出部１５５、搭乗者検出部１５６、走行状態検出部１５７を含んで構成されている。
【００３３】
ディスク検出部１５１は、ディスク装置７０にディスクが挿入されたことを検出する。ディスクには、ＤＶＤやＣＤが含まれるが、これらに限定されるものではなく、それ以外を検出対象に加えてもよい。
【００３４】
再生内容判定部１５２は、ディスク装置７０に装填されたディスクに記録された情報がＡＶ処理部１８によるビデオ再生を伴うビデオ情報か、ビデオ再生を伴わないオーディオ情報かを判定する。
【００３５】
出力内容切替部１５３は、ディスクがディスク装置７０に挿入されたときであって、再生内容判定部１５２によってディスクの情報がビデオ情報である旨の判定が行われた場合に、後席側に出力する内容を、このビデオ情報に基づくＡＶ処理部１８による再生結果に切り替え、再生内容判定部１５２によってディスクの情報がオーディオ情報である旨の判定が行われた場合に、前席側に出力する内容を、このオーディオ情報に基づくＡＶ処理部１８による再生結果に切り替える。
【００３６】
選択画面作成部１５４は、ディスクがディスク装置７０に挿入されたときに、このディスクに記録された情報に基づくＡＶ処理部１８による再生結果の出力先を選択する選択画面を作成する。この選択画面は、表示処理部３０Ｆによって表示部３２Ｆに表示される。。この選択画面には、再生結果の出力先として、「前席」、「後席」、「全て（前席＆後席）」の３つの選択肢が含まれており、利用者（前席の搭乗者）は、いずれかの選択肢を直接指で指し示す（指示した位置がタッチパネル２２Ｆによって検出される）ことにより、出力先を選択することができる。
【００３７】
電源状態検出部１５５は、後席側の表示部３２Ｒや操作部２０Ｒなどの電源切断の有無を検出する。例えば、表示部３２Ｒ、操作部２０Ｒ、タッチパネル２２Ｒが一つの筐体に収納されており、この筐体に電源スイッチが設けられているものとすると、電源状態検出部１５５は、この電源スイッチのＯＮ／ＯＦＦを検出する。
【００３８】
搭乗者検出部１５６は、後席の搭乗者の不在を検出する。例えば、後席のシートベルトの使用状況に基づいて後席の搭乗者がいないことを検出することができる。また、カメラ（図示せず）を用いて後席を撮像し、得られた画像に基づいて搭乗者がいないことを検出するようにしてもよい。
【００３９】
走行状態検出部１５７は、自車両が停車中あるいは駐車中の非走行状態にあることを検出する。非走行状態にあるか否かは、例えば、走行時に出力される車速パルスの有無に基づいて判定することができる。あるいは、ナビゲーション処理部１０によって検出される自車位置の変化に基づいて判定するようにしてもよい。
【００４０】
上述したＴＶチューナ処理部１４、ラジオチューナ処理部１６、ＡＶ処理部１８がビデオ・オーディオ再生手段に、表示処理部３０Ｆ、表示部３２Ｆ、デジタル−アナログ変換器４０Ｆ、スピーカ４２が前席側出力手段に、表示処理部３０Ｒ、表示部３２Ｒ、デジタル−アナログ変換器４０Ｒ、ヘッドホン４４が後席側出力手段に、再生内容判定部１５２が再生内容判定手段に、出力内容切替部１５３が出力内容切替手段に、選択画面作成部１５４、表示処理部３０Ｆ、表示部３２Ｆが選択画面表示手段に、操作部２０Ｆ、タッチパネル２２Ｆが操作手段に、電源状態検出部１５５が電源状態検出手段に、搭乗者検出部１５６が搭乗者検出手段に、走行状態検出部１５７が走行状態検出手段にそれぞれ対応する。
【００４１】
本実施形態の車載装置１はこのような構成を有しており、次に、ディスク切替制御部１５０によるディスク切替動作について説明する。
【００４２】
図３は、ディスク装置７０にディスクが挿入されたときに行われるディスク切替動作の動作手順を示す流れ図である。
【００４３】
車載装置１に電源が投入されてディスク装置７０にディスクが装填されていない状態において、ディスク検出部１５１は、ディスク装置７０にディスクが挿入されたか否かを判定する（ステップ１００）。ディスクが挿入されるまでは否定判断が行われ、この判定が繰り返される。また、ディスクが挿入されるとステップ１００の判定において肯定判断が行われる。
【００４４】
次に、再生内容判定部１５２は、ディスク装置７０に挿入されたディスクに記録された情報がＡＶ処理部１８によるビデオ再生を伴うビデオ情報か否かを判定する（ステップ１０２）。ビデオ情報の場合には肯定判断が行われ、出力内容切替部１５３は、後席側に出力する内容を、このビデオ情報に基づくＡＶ処理部１８によるビデオ再生結果に切り替える（ステップ１０４）。以後、後席の表示部３２Ｒにはビデオ再生結果としての映像が表示され、後席のヘッドホン４４からはこの映像に付加されたオーディオ音が出力される。
【００４５】
また、挿入されたディスクに記録された情報がビデオ情報でない場合（オーディオ情報）の場合にはステップ１０２の判定において否定判断が行われる。この場合は、出力内容切替部１５３は、前席側に出力する内容を、このオーディオ情報に基づくＡＶ処理部１８によるオーディオ再生結果に切り替える（ステップ１０６）。以後、前席のスピーカ４２からは再生されたオーディオ音が出力される。
【００４６】
このように、本実施形態の車載装置１では、外部デバイスとしてのディスクがディスク装置７０に挿入されてビデオ再生を行う場合に、前席側ではなく後席側にそのビデオ映像を表示することができるため、前席側におけるビデオ映像の表示を中止したり、後席側におけるビデオ映像の表示を指示するなどの煩雑な操作が不要になり、操作性を向上させることができる。
【００４７】
なお、上述した説明では、ディスク挿入前の再生状態については説明していないが、この再生状態についてはいくつかのパターンが考えられる。
（パターン１）ＴＶチューナ処理部１４、ラジオチューナ処理部１６、ＡＶ処理部１８のいずれか一つによる共通の再生結果を、前席側と後席側の両方から同時に出力している。
（パターン２）ＴＶチューナ処理部１４、ラジオチューナ処理部１６、ＡＶ処理部１８のいずれか二つによる再生結果のそれぞれを、前席側と後席側から別々に出力している。この場合に、ＡＶ処理部１８によって、ＵＳＢメモリに記録された情報に基づく再生動作と、ＳＤメモリカードに記録された情報に基づく再生動作と、携帯端末装置に記録された情報に基づく再生動作などの中の２つの再生動作を並行して行うことができる場合には、ＡＶ処理部１８による二つの再生結果のそれぞれを、前席側と後席側から別々に出力することもパターン２に含まれる。
【００４８】
図３に示したステップ１０４では、後席側についてビデオ映像への切り替えが行われるが、前席側については、それまで出力していた再生内容（パターン１あるいはパターン２のいずれであってもよい）がこの切替後も維持される。また、図３に示したステップ１０６では、前席側についてオーディオ音への切り替えが行われるが、後席側については、それまで出力していた再生内容（パターン１あるいはパターン２のいずれであってもよい）がこの切替後も維持される。
【００４９】
（変形例１）
図４は、ディスク切替動作の変形例の動作手順を示す流れ図である。図４に示した流れ図は、図３に示した流れ図に対して、ステップ２００、２０２の動作が追加された点が異なっている。以下では、この追加されたステップ２００、２０２の動作に着目して説明を行う。
【００５０】
ディスクに記録された情報がビデオ情報であってステップ１０２の判定において肯定判断が行われると、出力内容切替部１５３は、その時点で前席側においてビデオ再生中（ビデオ映像出力中）か否かを判定する（ステップ２００）。ビデオ再生中でない場合には否定判断が行われ、ステップ１０４に移行して後席側のビデオ映像への切り替えが行われる。また、前席側においてビデオ再生中の場合にはステップ２００の判定において肯定判断が行われる。この場合には、出力内容切替部１５３は、前席側と後席側の両方に出力する内容を、ディスクに記録されたビデオ情報に基づくＡＶ処理部１８によるビデオ再生結果に切り替える（ステップ２０２）。
【００５１】
このように、ディスク挿入前に前席側においてビデオ映像が表示されていた場合にはディスクに記録された情報に基づくビデオ映像に切り替えても支障がないと考えられるため、このような切り替えを自動で行うことにより、追加の操作を行うことによって前席側のビデオ映像に切り替える場合に比べて操作の簡略化が可能になる。
【００５２】
（変形例２）
図５は、ディスク切替動作の他の変形例の動作手順を示す流れ図である。図５に示した流れ図は、図３に示した流れ図に対して、ステップ２１０、２１２、２１４、２１６の動作が追加された点が異なっている。以下では、この追加されたステップ２１０〜２１６２の動作に着目して説明を行う。
【００５３】
ディスクに記録された情報がビデオ情報であってステップ１０２の判定において肯定判断が行われると、選択画面作成部１５４は、ディスクに記録された情報に基づくＡＶ処理部１８による再生結果の出力先を選択する選択画面を作成し、表示する（ステップ２１０）。上述したように、この選択画面には、再生結果の出力先として、「前席」、「後席」、「全て（前席＆後席）」の３つの選択肢が含まれており、前席の搭乗者は、操作部２０Ｆやタッチパネル２２Ｆを用いてこれら３つの選択肢のいずれかを選択することができる。
【００５４】
次に、出力内容切替部１５３は、前席の搭乗者によっていずれかの選択肢が選択されたか否かを判定する（ステップ２１２）。いずれの選択肢も選択されない場合は否定判断が行われ、次に、出力内容切替部１５３は、所定時間経過したか否かを判定する（ステップ２１４）。所定時間が経過するまでは否定判断が行われ、ステップ２１２に戻って選択肢選択の有無判定が繰り返される。また、いずれかの選択肢も選択されずに所定時間が経過するとステップ２１４の判定において肯定判断が行われる。この場合には、ステップ１０４に移行して後席側のビデオ映像への切り替えが行われる。また、いずれかの選択肢が選択されるとステップ２１２の判定において肯定判断が行われる。次に、出力内容切替部１５３は、選択された選択肢で示された前席側および／または後席側に出力する内容を、ディスクに記録されたビデオ情報に基づくＡＶ処理部１８によるビデオ再生結果に切り替える（ステップ２１６）。
【００５５】
このように、ディスクに記録された情報がビデオ情報であった場合に、自動的に後席側をビデオ映像に切り替える前に、選択画面を表示して前席の搭乗者にビデオ信号の出力先を選択させることにより、前席側と後席側において、利用者（前席の搭乗者）の意思を確実に反映したビデオ映像の切り替えが可能となる。
【００５６】
（変形例３）
図６は、ディスク切替動作の他の変形例の動作手順を示す流れ図である。図６に示した流れ図は、図３に示した流れ図に対して、ステップ２２０、２２２の動作が追加された点が異なっている。以下では、この追加されたステップ２２０、２２２の動作に着目して説明を行う。
【００５７】
ディスクが挿入されてステップ１００の判定において肯定判断が行われると、電源状態検出部１５５は、後席側の表示部３２Ｒや操作部２０Ｒなどの電源が切断（電源ＯＦＦ）されているか否かを判定する（ステップ２２０）。電源が切断されていない場合には否定判断が行われ、ステップ１０２に移行してディスク内容の判定動作が行われる。また、電源が切断されている場合にはステップ２２０の判定において肯定判断が行われる。この場合には、出力内容切替部１５３は、前席側に出力する内容を、ディスクに記録された情報に基づくＡＶ処理部１８による再生結果（ビデオ再生あるいはオーディオ再生）に切り替える（ステップ２２２）。
【００５８】
このように、再生結果の出力を前席側のみで行うことが明らかな場合に、挿入されたディスクに記録された情報に基づくビデオ再生あるいはオーディオ再生に前席側を切り替えることにより、利用者の意思を確実に反映したビデオ映像への切り替えが可能となる。
【００５９】
（変形例４）
図７は、ディスク切替動作の他の変形例の動作手順を示す流れ図である。図７に示した流れ図は、図６に示した流れ図に対して、ステップ２２０をステップ２２０Ａの動作に置き換えた点が異なっている。以下では、この置き換えたテップ２２０Ａの動作に着目して説明を行う。
【００６０】
ディスクが挿入されてステップ１００の判定において肯定判断が行われると、搭乗者検出部１５６は、後席の搭乗者が不在か否かを判定する（ステップ２２０Ａ）。後席に搭乗者がいる場合には否定判断が行われ、ステップ１０２に移行してディスク内容の判定動作が行われる。また、後席に搭乗者がいない場合にはステップ２２０Ａの判定において肯定判断が行われる。この場合には、出力内容切替部１５３は、前席側に出力する内容を、ディスクに記録された情報に基づく再生結果（ビデオ再生あるいはオーディオ再生）に切り替える（ステップ２２２）。
【００６１】
このように、再生結果を前席側のみで視聴することが明らかな場合に、挿入されたディスクに記録された情報に基づくビデオ再生あるいはオーディオ再生に前席側を切り替えることにより、利用者の意思を確実に反映したビデオ映像への切り替えが可能となる。
【００６２】
（変形例５）
図８は、ディスク切替動作の他の変形例の動作手順を示す流れ図である。図８に示した流れ図は、図３に示した流れ図に対して、ステップ２３０、２３２の動作が追加された点が異なっている。以下では、この追加されたステップ２３０、２３２の動作に着目して説明を行う。
【００６３】
ディスクが挿入されてステップ１００の判定において肯定判断が行われると、走行状態検出部１５７は、車両が非走行状態（停車中あるいは駐車中）であるか否かを判定する（ステップ２３０）。車両が走行中の場合には否定判断が行われ、ステップ１０２に移行してディスク内容の判定動作が行われる。また、車両が非走行状態にある場合にはステップ２３０の判定において肯定判断が行われる。この場合には、出力内容切替部１５３は、前席側に出力する内容を、ディスクに記録された情報に基づく再生結果（ビデオ再生あるいはオーディオ再生）に切り替える（ステップ２３２）。なお、後席側については、前席と同じ再生内容に切り替えてもよいが、ディスク挿入前の再生状態を維持するようにしてもよい。
【００６４】
このように、車両が非走行状態にある場合には、前席側でビデオ再生やオーディオ再生をするためにビデオを挿入したと考えることができるため、このような場合に、挿入されたディスクに記録された情報に基づくビデオ再生あるいはオーディオ再生に前席側を切り替えることにより、利用者の意思を確実に反映したビデオ映像への切り替えが可能となる。
【００６５】
なお、本発明は上記実施形態に限定されるものではなく、本発明の要旨の範囲内において種々の変形実施が可能である。例えば、上述した実施形態では、挿入される外部デバイスとしてディスクを考えたが、本発明が適用される外部デバイスはディスクに限定されるものではなく、ＵＳＢメモリやＳＤメモリカードを含めるようにしてもよい。
【産業上の利用可能性】
【００６６】
上述したように、本発明によれば、外部デバイスが挿入されてビデオ再生を行う場合に、前席側ではなく後席側にその再生映像を表示することができるため、前席側における再生映像の表示を中止したり、後席側における再生映像の表示を指示するなどの煩雑な操作が不要になり、操作性を向上させることができる。
【符号の説明】
【００６７】
１  車載装置
５０  ＣＰＵ
６０  メモリ
７０  ディスク装置
１５０  ディスク切替制御部
１５１  ディスク検出部
１５２  再生内容判定部
１５３  出力内容切替部
１５４  選択画面作成部
１５５  電源状態検出部
１５６  搭乗者検出部
１５７  走行状態検出部
【図１】
2020116986.tif 000003
【図２】
2020116986.tif 000004
【図３】
2020116986.tif 000005
【図４】
2020116986.tif 000006
【図５】
2020116986.tif 000007
【図６】
2020116986.tif 000008
【図７】
2020116986.tif 000009
【図８】
2020116986.tif 000010